(57)【特許請求の範囲】
【請求項１】
コンタクトガラスの下方に第１、第２の走行体及び結像レンズからなる露光光学系を設け、さらにその後段に固体撮像素子と画像処理部を有し、かつコンタクトガラスの画像領域外に濃度基準板を設け、濃度基準板の読み取りデータを基に画像処理部で自動調整動作を行なう画像読取装置において、装置に対する電源オフの操作を検出した場合、前記走行体をホーム位置から前記濃度基準板を読み取る位置に移動させた後に、電源の遮断を行なう制御手段を備え、
前記電源遮断時においてもデータを保持することが可能な不揮発性メモリを有し、前記制御手段の制御により、前記不揮発性メモリに前記移動が完了したことを示す書き込みを行なうようにし、
電源が投入された後、前記制御手段の制御により、前記不揮発性メモリを読み出し、前記濃度基準板を読み取る位置に移動が完了したことが書き込まれていた場合は、前記走行体を移動させることなく自動調整動作を実行し、移動が完了していなかった場合は、前記濃度基準板を読み取る位置に移動させた後に自動調整動作を実行することを特徴とする画像読取装置。
【請求項２】
光学的に読みとった画像情報を電気信号に変換する固体撮像素子と、該固体撮像素子の出力するアナログ信号に対して電気的な処理を加える電気回路と、該電気回路が行う電気的処理の処理係数を適正な係数に調整するための電気回路及びマイクロプロセッサと、
コンタクトガラス上に載置された原稿に対して該原稿を露光するための光源及び前記原稿からの反射光を反射するためのミラーとが搭載された走行体を相対的に移動させる手段と、
前記電気回路が行う電気的処理の処理係数を適正な係数に調整するための基準濃度に塗布された濃度基準板と、
前記電気回路が行う電気的処理の処理係数を適正な係数に調整するための自動調整動作は、前記走行体をホーム位置から前記濃度基準板を読み取る位置に移動させ、前記濃度基準板を読み取ったときのデータに基づいて自動調整動作を行う画像読取装置において、
自装置に対する電源オフの操作を検出した場合、前記走行体をホーム位置から前記濃度基準板を読み取る位置に移動させた後に電源の遮断を行い、その後に電源が投入された時に前記走行体を移動させることなく、即座に前記自動調整動作を実行し、
前記自動調整が正常に終了し得なかった場合、前記走行体を原点復帰動作をさせた後に前記濃度基準板を読み取る位置に移動させて再度前記自動調整を行うようにする手段を設けたことを特徴とする画像読取装置。
【発明の詳細な説明】
【０００１】
【発明の属する技術分野】
本発明は、露光光学系と画像処理部を有する画像読取装置に関する。
【０００２】
【従来の技術】
デジタル複写機やデジタルファクシミリなどの画像処理装置では、読み取られた画像情報を電気信号に変換し、電気回路により電気的処理を施すが、より高画質の画像を得るために、例えば特開平５−１５０６２２号公報で知られているよう、電気回路中の増幅器の増幅率や、Ａ／Ｄ変換器の基準電圧を、装置が自動的に調整するような機構が設けられている場合がある。
【０００３】
一般に画像形成装置においては、コンタクトガラスの画像領域外に濃度基準板を設け、この濃度基準板の読み取りデータを基に、上記のユニット他を自動調整することで自動濃度調整を行なっている。従って、電気回路に用いられる部品や光源に用いられる部品の、個体差や経時での特性変化によることなく、一定の品質を保証した画像出力を得ることができる利点がある。
【０００４】
また、一方、近年の画像読み取り装置では、電源投入後の装置動作開始までの時間の短縮化が要求されている。特に、環境問題の重要さが増すにつれ、各種の規格では、装置の電源断状態へ移行する時間を例えば１分程度にするよう定義されている。これらの装置では、非常に頻繁に電源遮断状態に移行することになり、当然、電源が再投入される回数も増え、電源投入から動作開始までの時間は、例えば１０秒程度であることが要求される。
【０００５】
【発明が解決しようとする課題】
しかしながら、上述した高画質化のための装置の自動調整動作が、この電源投入から動作開始までの時間短縮のネックになっている。
【０００６】
本発明は、高画質化と、環境対応のための電源投入から動作開始までの時間短縮を同時に達成することができる画像読取装置を提供することを目的とする。
【０００７】
【課題を解決するための手段】
上記目的を達成するために、コンタクトガラスの下方に第１、第２の走行体及び結像レンズからなる露光光学系を設け、さらにその後段に固体撮像素子と画像処理部を有し、かつコンタクトガラスの画像領域外に濃度基準板を設け、濃度基準板の読み取りデータを基に画像処理部で自動調整動作を行なう画像読取装置において、装置に対する電源オフの操作を検出した場合、前記走行体をホーム位置から前記濃度基準板を読み取る位置に移動させた後に、電源の遮断を行なう制御手段を備え、上記電源遮断時においてもデータを保持することが可能な不揮発性メモリを有し、上記制御手段の制御により、上記不揮発性メモリに上記移動が完了したことを示す書き込みを行なうようにし、電源が投入された後、上記制御手段の制御により、上記不揮発性メモリを読み出し、上記濃度基準板を読み取る位置に移動が完了したことが書き込まれていた場合は、上記走行体を移動させることなく自動調整動作を実行し、移動が完了していなかった場合は、上記濃度基準板を読み取る位置に移動させた後に自動調整動作を実行する画像読取装置を提供する。
【００１１】
さらに、光学的に読みとった画像情報を電気信号に変換する固体撮像素子と、その固体撮像素子の出力するアナログ信号に対して電気的な処理を加える電気回路と、その電気回路が行う電気的処理の処理係数を適正な係数に調整するための電気回路及びマイクロプロセッサと、コンタクトガラス上に載置された原稿に対してその原稿を露光するための光源及び上記原稿からの反射光を反射するためのミラーとが搭載された走行体を相対的に移動させる手段と、上記電気回路が行う電気的処理の処理係数を適正な係数に調整するための基準濃度に塗布された濃度基準板と、上記電気回路が行う電気的処理の処理係数を適正な係数に調整するための自動調整動作は、上記走行体をホーム位置から上記濃度基準板を読み取る位置に移動させ、上記濃度基準板を読み取ったときのデータに基づいて自動調整動作を行う画像読取装置において、自装置に対する電源オフの操作を検出した場合、上記走行体をホームポジションから上記濃度基準板を読み取る位置に移動させた後に電源の遮断を行い、その後に電源が投入された時に上記走行体を移動させることなく、即座に上記自動調整動作を実行し、上記自動調整が正常に終了し得なかった場合、上記走行体を原点復帰動作をさせた後に前記濃度基準板を読み取る位置に移動させて再度上記自動調整を行うようにする手段を設けた画像読取装置も提供する。
【００１２】
【発明の実施の形態】
以下本発明の実施の形態を図面に従って説明する。
図１は画像読取装置の概念図である。
この画像読取装置は、ＣＰＵ，ＲＯＭ及びＲＡＭ等からなるマイクロコンピュータによって実現されるスキャナ装置，ファクシミリ装置，コピー装置等の装置であり、原稿台ガラスを覆う圧板１、その原稿台ガラスであるコンタクトガラス２，原稿を露光するための露光ランプである光源３及びミラー４からなる第１の走行体５、ミラー６，７からなる第２の走行体８、結像レンズ９、ＣＣＤ１０、画像処理用のマイクロプロセッサである画像処理部１１、原稿サイズセンサ１２を備えている。第１、第２の走行体５、８は、モータ１３でワイヤ１４を介して、図の左右方向（図中矢示）に共役長を保ちながら移動するようになっており、右方向移動時に原稿を走査する。
【００１３】
原稿走査時の光源３の照射光は原稿面で反射され、結像レンズ９の作用によりＣＣＤ１０に結像され、光電変換される。そして画像処理部１１で各種の画像処理が施される。
さらに説明すると、コンタクトガラス２上に載置された原稿（図示省略）は、光源３からの照射光によって照射され、その乱反射光は、３枚のミラー４と５と６に次々と反射し、結像レンズ９を通してＣＣＤ１０上に結像される。
ＣＣＤ１０は、入射された光をライン毎に電気信号に置き換え、画像処理部１１にアナログ電気信号を送出する。
第１の走行体５と第２の走行体８はワイヤ１４を介してモータ１３の出力軸に接続しており、モータ１３が回転することによってワイヤ１４を介して両走行体５と８が互いに共役長を保ちながら図中の矢印方向へ移動し、原稿を走査する。
原稿サイズセンサ１２は、光源３からＣＣＤ１０の各部で構成される光学系の下方に設置される。
【００１４】
図２は電源供給ブロック図である。
画像読取装置に与えられたＡＣ入力は、ＰＳＵ３２に供給される。ＰＳＵ３２は、ＡＣ１００Ｖから、装置の動作に必要なＤＣ電圧（５Ｖ、１２Ｖ等）を生成する。ＰＳＵ３２の生成したＤＣ電圧の内の一部は、ＣＰＵ２５及び、ＣＰＵ２５が動作可能な周辺の回路に対して直接供給される。ＤＣ電圧の残りは、リレー（ＲＬ）３３を介して、画像処理部１１等、ＣＰＵ２５及びその周辺回路以外の部分へ供給される。
電源ＳＷ３１の状態を示す信号は、ＣＰＵ２５に入力され、ＣＰＵ２５は、電源ＳＷ３１の状態に応じて、リレー３３を通電／遮断状態に制御する。リレー３３が遮断状態にある場合は、ＤＣ電圧は画像処理部１１等へは供給されず、これにより、画像読取装置の消費する電力は大幅にカットされる。
【００１５】
図３は、上記画像処理部１１を詳細に示す本発明の一実施形態に係る画像読取装置の構成図である。図１と同一個所には同一符号を付す。
ＣＣＤ１０に入射された光はライン毎にアナログ電気信号に置き換えられ、増幅器１５で所定の増幅率で増幅される。増幅されたアナログ信号は、Ａ／Ｄコンバータ１６でデジタル信号に変換される。例えば、Ａ／Ｄコンバータ１６が８ビットのデジタル出力を行うＡ／Ｄコンバータである場合、画像情報は、０から２５５のデジタル画像データとして扱われる。デジタル化された画像情報は、シェーディング補正回路１９，ＭＴＦ補正回路２０，変倍回路２１，γ（ガンマ）変換回路２２でそれぞれ電気的画像処理が施され、インターフェイス（Ｉ／Ｆ）回路２３を通して、複写コントローラ，ファクシミリコントローラ，あるいはイメージスキャナコントローラの各コントローラへ出力される。Ａ／Ｄコンバータ１６の出力信号は、シェーディング補正回路１９へ入力されるとともに、ピーク検出回路１７にも入力される。ピーク検出回路１７は、入力された画像データのうち、１ライン中の最大値を検出して保持する回路であり、保持されたデータはＣＰＵバスを介してＣＰＵ（制御手段）２５によって読み出される。
【００１６】
ＣＰＵ２５は、ＣＰＵバスを介して、Ｄ／Ａコンバータ１８ａの出力を変化させることにより、増幅器１５の増幅率を変化させることができる。また同様にＣＰＵ２５は、Ｄ／Ａコンバータ１８ｂの出力を変化させることにより、Ａ／Ｄコンバータ１６の基準電圧を変化させることができる。ここで、基準電圧は、Ａ／Ｄコンバータ１６に入力される画像電気信号の電圧何ボルトを、デジタルデータのいくつに変換するかを決定するもので、即ち読み取る原稿の濃度範囲（＝ダイナミックレンジ）を決定するものである。
【００１７】
２４はＮＶＲＡＭ（不揮発性ＲＡＭ）で、ＣＰＵ２５がＮＶＲＡＭ２４に書き込んだデータは、画像読取装置の電源が遮断されても、失うことなく保持される。
又、ＣＰＵ２５は、ＣＰＵバスを介して符号１９〜２３で示す各画像処理演算回路と接続されており、ＭＴＦ補正係数や変倍率等の各演算処理のパラメータを各演算回路に対して設定することができる。すなわち、このＣＰＵ２５がこの発明に係わる自動調整制御処理を実行する。
【００１８】
２６は白色基準板（濃度基準板）で、コンタクトガラス２上に読み取り１ライン全域にわたって、白く均一な濃度に塗られた領域を有する部材である。またＣＰＵ２５は、ＣＰＵバスを介して図示を省略したモータドライバＩＣを駆動することにより、モータ１３を回転・停止させる。
【００１９】
図４は１ラインの画像データを示す図である。
この図はピーク検出回路１７で検出される１ライン中の最大値の意味を示したものである。横軸は、ＣＣＤ１０の出力画素番号を示し、ここでは、１ライン５０００画素のＣＣＤ１０が用いられているものとして示している。縦軸は、デジタル化された画像データを示し、ここでは８ビットのＡ／Ｄコンバータ１６で２５５に正規化されたデータとして示しており、０に近いほど高濃度（黒に近い）、２５５に近いほど低濃度（白に近い）の画素出力となる。
【００２０】
光源３は、光源の中央付近は明るく、端部にいくに従って光量が低下する特性を持っている。このため、均一に白い画像を読みとったときでも、得られる画像データは、１ライン中の中央付近ほど明るく（大きく）、１ラインの内の先方と後方のデータは小さくなる。よって、白色基準板２６を読み取ったときの１ラインの画像データ出力は、図４に示す様になり、中央画素付近が、白画像の最大値ＰＫｗとなる。
【００２１】
また、図４中のＯＰＢＫは、ＣＣＤ１０に備えられた黒ダミー画素出力期間を示す信号である。黒ダミー画素とは、ＣＣＤ１０の光が遮蔽された部分に配置された画素のことで、この画素の出力は、光源３の点灯有無や、読み取り画像の種別に関わらず、常に黒画像の出力が得られる。従って、図４に示すとおり、ＯＰＢＫ信号がＨｉアクティブに出力されている区間は、画像データは、光源３の配光によらずほぼ一定の、高濃度（黒に近い）のデータとなる。図中ＰＫｂは、このＯＰＢＫ区間の最大値を示す。ピーク検出回路１７は、ＰＫｗ及び、ＰＫｂをそれぞれの領域の最大のデータとして検出して保持する。
【００２２】
次に自動調整制御処理の詳細なフローについて説明する。自動調整制御処理は、この画像読取装置が最適な画像を得るために、各電気的処理の処理係数を、機械特性の変化に合わせ自動的に調整するもので、ここでは増幅器１５の増幅率の調整を制御する処理例を図５のフローチャート図に示す。増幅率の調整は、光源３の温度特性や経時劣化により、発光量が変化した場合でも、一定濃度の原稿を一定の画像データとして読み取れるようにするためのものである。
【００２３】
自動調整制御処理が開始されると、ＣＰＵ２５は、光源３を点灯させ、さらに画像読み取り位置が白色基準板２６となるように、光源３及び第１，第２の走行体５，８を移動する（Ｓ１）。次にＣＰＵ２５は、Ｄ／Ａコンバータ１８ａに初期値Ｇ０を設定することにより、増幅器１５の増幅率を初期値にする（Ｓ２）。次に、ＣＰＵ２５は、ピーク検出回路１７を介して白色基準板２６を読みとったときの最大値である白ピーク値ＰＫｗを得る（Ｓ３）。
【００２４】
ここで、白ピーク値ＰＫｗと目標値（本来白色基準板２６を読み込んだときに得られるべきデータ）Ｄｒｅｆとを比較し（Ｓ４）、この場合、白ピーク値ＰＫｗがＤｒｅｆ±１の範囲であれば、適正な増幅率が設定されたと判断して、自動調整を終了する（Ｓ５）。すなわち、光源３を消灯し、光源３と各ミラー４，５，６をホーム位置（初期の所定位置）に戻すように移動して、この自動調整制御処理を正常終了する。
一方、ステップ（図中「Ｓ」）４の判断でＤｍａｘが目標値に無い場合、すなわちＤｒｅｆ−１＜ＰＫｗ＜Ｄｒｅｆ＋１でない場合、ＤｒｅｆとＰＫｗの差分から、増幅率の増減を決定し、Ｄ／Ａコンバータ１８ａに設定する。
この例では、新たに設定する増幅率Ｇｎ＋１は
Ｇｎ＋１＝Ｇｎ＋（Ｄｒｅｆ―ＰＫｗ）＊Ｋ
Ｄｎ：現在の増幅率
Ｋ：所定の定数
として計算される。
【００２５】
新たな増幅率の設定後、ステップ３へ戻って再度ピーク検出回路１７から白色基準板２６の読み取り領域の最大値である白ピーク値ＰＫｗを読み取り、目標値Ｄｒｅｆとの比較を行う。以下、この白ピーク値ＰＫｗ読み出し→目標値Ｄｒｅｆと比較→増幅率の計算・設定を、目標の白ピーク値ＰＫｗが得られるまで続ける。白ピーク値ＰＫｗが目標値に達した場合、ＣＰＵ２５は、その時Ｄ／Ａコンバータ１８ａに設定された増幅率ＧｎをＮＶＲＡＭ２４へ書き込んで保存する。その後にＣＰＵ２５は、光源３を消灯させ、第１，第２の走行体５，８を所定位置に戻し、この自動調整制御処理を正常終了する。
【００２６】
図６は、参考技術の電源オフ時の動作例を示すフローチャート図である。ＣＰＵ２５は、電源ＳＷ３１のオフ（ＯＦＦ）操作を検出すると、第１，第２の走行体５，８を白色基準板２６の位置に移動させ（Ｓ１１）、移動が完了した後にリレー３３を遮断し（Ｓ１２）、画像処理部１１等への給電を停止する。
【００２７】
図７は、参考技術の電源オン後の自動調整制御処理の動作例を示すフローチャート図である。ＣＰＵ２５は、電源ＳＷ３１のオン（ＯＮ）操作を検出すると、リレー３３を接続し（Ｓ２１）、画像処理部１１等への給電を開始する。その後に、光源３を点灯して（Ｓ２２）自動調整制御処理動作を実行する。以下の自動調整制御処理動作（Ｓ２３〜Ｓ２７）は、図５のフローチャート図を基に説明した処理内容と同一であるから、その説明を省略する。
【００２８】
図８は、この実施例の電源オフ時の自動調整制御処理の動作例を示すフローチャート図である。ＣＰＵ２５は、電源ＳＷ３１のオフ（ＯＦＦ）操作を検出すると、第１，第２の走行体５，８を白色基準板２６の位置に移動させ（Ｓ３１）、移動が完了した後に、ＮＶＲＡＭ２４へ移動が完了したことを示すフラグを書き込む（Ｓ３２）。その後に、リレー３３を遮断し（Ｓ３３）、画像処理部１１等への給電を停止する。
【００２９】
図９は、この実施例の電源オン後の自動調整制御処理の動作例を示すフローチャート図である。ＣＰＵ２５は、電源ＳＷ３１のオン（ＯＮ）操作を検出すると、リレー３３を接続し、画像処理部１１等への給電を開始する。その後に光源３を点灯する。続いてＮＶＲＡＭ２４の読み出しを行い（Ｓ４１）、白色基準板２６の位置への走行体の移動が完了しているか否かを示すフラグのチェックを行う（Ｓ４２）。移動が完了していれば、そのままステップ４４へ進んで自動調整制御処理動作を実行する。
移動が完了していない場合は、第１，第２の走行体５，８を白色基準板２６の位置に移動させ（Ｓ４３）、その後にステップ４４へ進んで自動調整制御処理動作を実行する。以下の自動調整制御処理動作（Ｓ４４〜Ｓ４９）は、図５のフローチャート図を基に説明した処理内容と同一であるから、その説明を省略する。
【００３０】
こうして、自動調整動作の終了時には、ＮＶＲＡＭ２４に書き込まれた移動完了のフラグを消去した後に、第１，第２の走行体５，８を通常の停止位置であるホームポジションへ移動させて自動調整制御処理を終了する。
【００３１】
このようにして、上述の実施形態の画像読取装置では、装置に対する電源オフの操作が行われた場合、走行体を、濃度基準板を読み取る位置に移動させた後に電源の遮断を行うことにより、画像読み取り装置の高画質化と、環境対応のための、電源投入から動作開始までの時間短縮を同時に達成することができる。
そこで、さらに電源遮断中に装置に対する振動等の付加により、走行体位置が、濃度基準板である白色基準板の読み取り位置以外にずれてしまった場合にも、正しく自動調整を実行させ、高画質を保証することのできる画像読取装置の実施形態を説明する。
【００３２】
この実施形態の画像読取装置は、上述の画像読取装置の構成と同じであるが、ＣＰＵ２５による自動調整制御処理が上述のものとは若干異なる。
図１０は、ＣＰＵ２５による自動調整制御の他の処理例を示すフローチャート図である。この自動調整制御処理では、上記図５に基づいて示した自動調整制御処理の際に、自動調整異常終了処理を行っている。
【００３３】
自動調整制御処理が開始されると、ＣＰＵ２５は、光源３を点灯させ、さらに画像読み取り位置が白色基準板２６となるように、光源３及び第１，第２の走行体５，８を移動する（Ｓ５１）。次にＣＰＵ２５は、Ｄ／Ａコンバータ１８ａに初期値Ｇ０を設定することにより、増幅器１５の増幅率を初期値にする（Ｓ５２）。増幅率計算の繰り返し回数をカウントする所定回数Ｎに初期値０を設定する（Ｓ５３）。Ｎが予め設定した所定回数３０を越えたか否かを判断する（Ｓ５４）。最初は越えないからステップ（図中「Ｓ」）５５へ進み、ＣＰＵ２５は、ピーク検出回路１７を介して白色基準板２６を読みとったときの最大値である白ピーク値ＰＫｗを得る（Ｓ５５）。
【００３４】
ここで、白ピーク値ＰＫｗと目標値（本来白色基準板２６を読み込んだときに得られるべきデータ）Ｄｒｅｆとを比較し（Ｓ５６）、この場合、白ピーク値ＰＫｗがＤｒｅｆ±１の範囲であれば、適正な増幅率が設定されたと判断して、自動調整を終了する。すなわち、光源３を消灯し、光源３と各ミラー４，６，７をホーム位置（初期の所定位置）に戻すように移動して（Ｓ５７）、この自動調整制御処理を正常終了する。
一方、ステップ５６の判断でＤｍａｘが目標値に無い場合、すなわちＤｒｅｆ−１＜ＰＫｗ＜Ｄｒｅｆ＋１でない場合、ＤｒｅｆとＰＫｗの差分から、増幅率の増減を決定し、Ｄ／Ａコンバータ１８ａに設定する。
この例では、新たに設定する増幅率Ｇｎ＋１は
Ｇｎ＋１＝Ｇｎ＋（Ｄｒｅｆ―ＰＫｗ）＊Ｋ
Ｄｎ：現在の増幅率
Ｋ：所定の定数
として計算される。
【００３５】
新たな増幅率の設定後、Ｎ＝Ｎ＋１とし、ステップ５４へ戻って再度ピーク検出回路１７から白色基準板２６の読み取り領域の最大値である白ピーク値ＰＫｗを読み取り、目標値Ｄｒｅｆとの比較を行う。以下、この白ピーク値ＰＫｗ読み出し→目標値Ｄｒｅｆと比較→増幅率の計算・設定を、Ｎ＝３０まで続ける。Ｎ＝３０以内で白ピーク値ＰＫｗが目標値に達した場合、ＣＰＵ２５は、その時Ｄ／Ａコンバータ１８ａに設定された増幅率ＧｎをＮＶＲＡＭ２４へ書き込んで保存する。その後にＣＰＵ２５は、光源３を消灯させ、第１，第２の走行体５，８を所定位置に戻し、この自動調整制御処理を正常終了する。
ただし、この増幅率計算の繰り返し回数が所定回数（Ｎ＝３０回）を越えた場合は、異常と判断して自動調整制御処理を異常終了させる。
【００３６】
次に、電源ＳＷがオフ（ＯＦＦ）された場合の動作例は、上記図６に基づいて示した動作例の処理と同じなので、その説明を省略する。
図１１は、上記電源オン後の自動調整制御処理のさらに他の動作例を示すフローチャート図である。
ＣＰＵ２５は、電源ＳＷ３１のオン（ＯＮ）操作を検出すると、リレー３３を接続し（Ｓ６１）、画像処理部１１等への給電を開始する。その後に、光源３を点灯して（Ｓ６２）自動調整制御処理動作を実行する。さらに、増幅率計算の繰り返し回数をカウントする所定回数Ｎに初期値０を設定する（Ｓ６３）。次にＣＰＵ２５は、Ｄ／Ａコンバータ１８ａに初期値Ｇ０を設定することにより、増幅器１５の増幅率を初期値にする（Ｓ６４）。その後、ステップ６５〜６９の処理は、図１０のステップ５４〜５８の処理と同じなので、その説明を省略する。
【００３７】
図１２は、電源オン後の他の自動調整制御処理の動作例を示すフローチャート図である。
ＣＰＵ２５は、電源ＳＷ３１のオン（ＯＮ）操作を検出すると、リレー３３を接続し、画像処理部１１等への給電を開始する。その後に、光源３を点灯し、自動調整制御処理動作を実行する（Ｓ７１）。
自動調整制御処理が正常終了したか否かを判断し（Ｓ７２）、正常終了した場合は、自動調整完了として、装置待機状態に移行する。
一方、増幅率の計算繰り返しが所定回数内に終わらず、自動調整制御処理が異常終了した場合は、両走行体５，８を、一旦ホーミング動作（原点復帰動作）を実行させ（Ｓ７３）、その後に白色基準板２６の位置に移動させ（Ｓ７４）、その後に再度自動調整制御処理動作を実行させ（Ｓ７５）、その終了を持って自動調整制御処理を完了させる。
【００３８】
【発明の効果】
以上説明してきたように、この発明の画像読取装置によれば、電源オフ時に、あらかじめ走行体を濃度基準板を読み取る位置に移動させておくので、電源オン時に、走行体を移動することなく自動調整動作を実行することができ、より高画質を得るための自動調整動作を行ないつつ、装置の電源投入から動作開始までの時間を短縮することができる。
さらに、電源オフ時に、あらかじめ走行体を濃度基準板を読み取る位置に移動させ、かつその動作が完了したか否かを、不揮発性メモリに記憶しておくので、電源オン時に、走行体の移動の必要がない場合のみ、走行体を移動することなく自動調整動作を実行することができ、より高画質を得るための自動調整動作を行ないつつ、装置の電源投入から動作開始までの時間を短縮することができる。また、万一、停電や不意の電源遮断が行なわれたような場合は、走行体を、濃度基準板を読み取る位置に移動させた後に自動調整動作を行なうので、そのような場合にも正しい自動調整結果を得ることができる。
【００４０】
さらに、この発明の画像読取装置によれば、電源オフ中に、装置に対する振動等の付加によって走行体位置が濃度基準板である白色基準板の読み取り位置以外にずれてしまった場合にも、正しく自動調整を実行させ、高画質を保証することができる。
【図面の簡単な説明】
【図１】画像読取装置の概念図である。
【図２】電源供給ブロック図である。
【図３】画像処理部を詳細に示す本発明の一実施形態に係る画像読取装置の構成図である。
【図４】１ラインの画像データを示す図である。
【図５】自動調整制御処理動作のフローチャートである。
【図６】  参考技術の電源オフ動作の動作例を示すフローチャートである。
【図７】  参考技術の電源オン後の自動調整制御処理動作例を示すフローチャートである。
【図８】  この実施例の電源オフ動作の自動調整制御処理例を示すフローチャートである。
【図９】  この実施例の電源オン後の自動調整制御処理動作例を示すフローチャートである。
【図１０】この画像読取装置における自動調整制御処理のさらに他の動作のフローチャートである。
【図１１】  電源オン後の自動調整制御処理のさらに他の動作例を示すフローチャート図である。
【図１２】  電源オン後の他の自動調整制御処理の動作例を示すフローチャート図である。
【符号の説明】
１：圧板          ２：コンタクトガラス
３：光源                ４，６，７：ミラー
５：第１の走行体        ８：第２の走行体
９：結像レンズ          １０：ＣＣＤ（固体撮像素子）
１１：画像処理部        １２：原稿サイズセンサ
１３：モータ            １４：ワイヤ
１６：Ａ／Ｄコンバータ  １７：ピーク検出回路
１８ａ，１８ｂ：Ｄ／Ａコンバータ
１９：シェーディング補正回路
２０：ＭＴＦ補正回路    ２１：変倍回路
２２：γ変換回路        ２３：Ｉ／Ｆ回路
２４：ＮＶＲＡＭ        ２５：ＣＰＵ（制御手段）
２６：白色基準板（濃度基準板）
３１：電源スイッチ      ３２：ＰＳＵ
３３：リレー
【図１】
0004246409.tif 000002
【図２】
0004246409.tif 000003
【図３】
0004246409.tif 000004
【図４】
0004246409.tif 000005
【図５】
0004246409.tif 000006
【図６】
0004246409.tif 000007
【図７】
0004246409.tif 000008
【図８】
0004246409.tif 000009
【図９】
0004246409.tif 000010
【図１０】
0004246409.tif 000011
【図１１】
0004246409.tif 000012
【図１２】
0004246409.tif 000013